(57)【要約】【課題】本発明は景品自由選択式幸運購買方法およびシステムに関するものである。【解決手段】この景品自由選択式幸運購買方法は、クライアントが商品購買サーバーに接続して商品を検索して購買した後、購買したクライアントに購買した商品価格に対応する多数の景品場のうちから選択して景品行事に参加することにより、その選択した景品場で目標募集人員数に達した場合、景品当籤者を選定し、または景品当籤結果を即席で確認し得るようにし、当籤されたクライアントに該当景品を提供することを特徴とする。【選択図】図１
2004522229.tif 000002
【特許請求の範囲】
【請求項１】
景品自由選択式幸運購買システムにおいて、
商品を購買しようとする多数のクライアント、および
多数の商品をクライアントが検索し易く分類・貯蔵して販売し、商品を購買したクライアントに購買した商品価格に対応する多数の景品場を設けて置き、クライアントが景品行事に自由に選択して参加することができるようにし、景品行事に参加したクライアントが目標募集人員数に達したときに抽籤により当籤者を選定して、選定された当籤者には該当景品を提供する商品サーバーを備えていることを特徴とする景品自由選択式幸運購買システム。
【請求項２】
景品自由選択式幸運購買システムにおいて、
商品を購買しようとする多数のクライアント、および
多数の商品を前記クライアントが検索し易く分類・貯蔵して販売し、商品を購買した前記クライアントに購買した該商品価格に対応する多数の景品場を設けて置き、景品行事に自由に選択して参加し得るようにし、該当景品場に参加したクライアントが即席で景品当籤如何を確認することができ、当籤者には該当景品を提供する商品サーバーを備えていることを特徴とする景品自由選択式幸運購買システム。
【請求項３】
前記多数の景品場は、クライアントが購買した商品の購買価格によって購買価格別
に多数の景品場を設けていることを特徴とする請求項1または2記載の景品自由選択式幸運購買システム。
【請求項４】
前記価格台別に設けられた景品場内でも1等当籤確率によってそれぞれ異なる商品
を景品として提供する多数の景品場を設けていることを特徴とする請求項3記載の景品自由選択式幸運購買システム。
【請求項５】
前記抽籤により1等に当籤されなかった全ての景品行事に参加したクライアントにも所定の景品を提供することを特徴とする請求項1または2記載の景品自由選択式幸運購買システム。
【請求項６】
前記クライアントが商品を購買し、与えられた景品参加番号を利用して、購入した価格台に設けられた景品場以外の他の価格台に設けられた景品場で商品の購入価格限度内で複数回景品行事に参加することができることを特徴とする請求項1または2記載の景品自由選択式幸運購買システム。
【請求項７】
前記景品が商品の代わりに現金で提供されることを特徴とする請求項1または2記載の景品自由選択式幸運購買システム。
【請求項８】
前記景品が商品の代わりに現金に準ずる商品券で提供されることを特徴とする請求
項1または2記載の景品自由選択式幸運購買システム。
【請求項９】
前記景品が商品の代わりに商品および用役の提供を受けることができる商品券で提供されることを特徴とする請求項1または2記載の景品自由選択式幸運購買システム。
【請求項１０】
前記景品が所定の行為をし得る権利であることを特徴とする請求項1または2記載の景品自由選択式幸運購買システム。
【請求項１１】
景品自由選択式幸運購買方法において、
クライアントが商品購買サーバーに接続する段階、
前記クライアントが前記商品購買サーバーから提供される商品を検索して購買する段階、
前記商品購買完了後、購買したクライアントに購買した商品価格に対応する景品場で景品行事に参加し得る景品参加番号を提供する段階、
多数の景品場のうちいずれ一つの景品場を選択して前記景品参加番号を入力して景品行事に参加する段階、
前記選択された景品場で目標募集人員数に達した場合、景品当籤者を選定する段階、および
前記抽籤で当籤された場合、前記クライアントに該当景品を提供する段階を含むことを特徴とする景品自由選択式幸運購買方法。
【請求項１２】
景品自由選択式幸運購買方法において、
クライアントが商品購買サーバーに接続する段階、
前記クライアントが前記商品購買サーバーから提供される商品を検索して購買する段階、
前記商品購買完了後、購買したクライアントに購買した商品価格に対応する景品場で景品行事に参加し得る景品参加番号を与える段階、
多数の景品場のうちいずれ一つの景品場を選択して前記景品参加番号を入力して景品行事に参加する段階、
景品の抽籤結果を即席で確認する段階、および
前記抽籤で当籤された場合、前記クライアントに該当景品を提供する段階を含むことを特徴とする景品自由選択式幸運購買方法。
【請求項１３】
前記景品場は、クライアントが購買した商品価格によって、または1等当籤確率によって複数に設けられることを特徴とする請求項11または12記載の景品自由選択式幸運購買方法。
【請求項１４】
前記クライアントは、購買した商品価格に対応する景品場のうちいずれ一つの景品場で景品行事に参加し得ることを特徴とする請求項11または12記載の景品自由選択式幸運購買方法。
【請求項１５】
前記クライアントは、購買した商品価格に対応する景品場でない商品購買価格より低い価格台の景品場で、複数回に亘って景品行事に参加し得ることを特徴とする請求項11または12記載の景品自由選択式幸運購買方法。
【請求項１６】
景品自由選択式幸運購買方法において、
クライアントが商品を購買する段階、
前記商品購買完了後、購買したクライアントに購買した商品価格に対応する景品場で景品行事に参加し得る景品参加番号を与える段階、
多数の景品場のうちいずれ一つの景品場を選択して前記景品参加番号を入力して景品
行事に参加する段階、
前記選択された景品場で目標募集人員数に達した場合、抽籤または即席で景品当籤者を選定する段階、および
前記抽籤で当籤された場合、前記クライアントに該当景品を提供する段階を含むことを特徴とする景品自由選択式幸運購買方法。
【請求項１７】
前記購買がオンライン商取引によりなされることを特徴とする請求項16記載の景品自由選択式幸運購買方法。
【請求項１８】
前記購買がTVホームショッピングでなされることを特徴とする請求項16記載の景品自由選択式幸運購買方法。
【請求項１９】
前記購買が百貨店でなされることを特徴とする請求項16記載の景品自由選択式幸運購買方法。
【発明の詳細な説明】
【技術分野】
【０００１】
本発明は、商品を販売する商品サーバーはクライアントが購買した商品の購買価格によって多様な景品および正確な1等当籤確率を提示する多数の景品場を設置して置き、商品を購買したクライアントの意思によって自由に景品を選び景品行事に参加することができる幸運購買方法およびシステムに関する。より詳細には、インターネットを利用したオンライン商取引、または一般の商取引において、商品を購買したクライアントに購買した購買価格によってそれぞれ異なる景品、それぞれ異なる景品の当籤確率、目標募集人員などを設定して置き、クライアント自身が望む景品に応募することができ、または景品の当籤如何を即席で確認することができる景品自由選択式幸運購買方法およびシステムに関する。
【背景技術】
【０００２】
現在、一般の商取引(以下、“オフライン商取引”という)、またはインターネットを利用したオンライン商取引において、色々な景品を提供している。
【０００３】
しかし、従来の景品は一定金額の購買者達に顧客誘引の次元で感謝の表示または営業利益の拡大のための販売戦略の一環であって、所謂販売者の一方的な景品提示によって商品を購買したクライアントに景品参加応募券を提供し、クライアントがこの応募券に記載事項を記載して応募する形態でなされている。景品行事期間が経過した後、一括抽籤により当籤者を選定して当籤者に該当景品を提供する。
【０００４】
従って、例えば、オフライン商取引において、景品行事は一定商品を景品として掲げて、所定期間内に、所定額以上の商品を購買したクライアントに景品応募券を提供し、これに応募したクライアント達のうち当籤者を選定して発表し、該当景品を提供することで終わる。
【０００５】
このような景品行事は一時的な景品行事であって、クライアントの購買欲求をそそのかして単に顧客誘引効果を得ることはできるが、これを持続的に維持するのは難しい。
【０００６】
また、商品を購買した側面から見るとき、このような景品行事に参加するクライアントは不特定多数のクライアントを対象として当籤率も正確でなく公正性においても不分明な状態で、クライアントには景品選択の機会さえ与えられない。故に、しばしば抽籤などを巡る色々な問題点が露出されている。
【０００７】
また、インターネットを利用したオンライン商取引において、流通段階の縮小に因る商品の割引要因を商品の価格に直接適用することにより、オンライン商取引とオフライン商取引間の衝突現象が生じるのも見られる。
【発明の開示】
【発明が解決しようとする課題】
【０００８】
前述した問題点を勘案して、本発明はインターネットを利用したオンラインまたはオフライン商取引において、商品販売による営業利益のうち一定比率を所定の商品を購買したクライアントに事後または即席抽籤により景品を提供する景品自由選択式幸運購買方法およびシステムを提供しようとするものである
本発明の別の目的は、インターネットを利用したオンライン商取引またはオフライン商取引において、クライアントは多様な商品を分類別に貯蔵している商品サーバーに接続して商品を購買し、購買代金の決済が完了した状態で商品サーバーはクライアントが購買した商品価格に対応する景品参加番号を付与し、購買価格台によって設けられた多数の景品場または1等当籤確率によって設けられた多数の景品場へ移動して景品の内容および1等当籤確率を確認した後、景品行事に参加することができる景品自由選択式幸運購買方法およびシステムを提供することにある。
【０００９】
本発明のまた別の目的は、商品販売による営業利益のうち一定比率に該当する景品を持続的にクライアントに提供することにより、商品購買後に当籤確率が高い景品行事に参加することができる機会を提供して持続的な顧客誘引効果を極大化するための景品自由選択式幸運購買方法およびシステムを提供することにある。
【００１０】
本発明のまた別の目的は、商品販売による営業利益のうち一定比率を抽籤による景品の形態でクライアントに戻してやる方法であって、商品の検索画面に景品として提供される商品名、1等当籤確率、景品行事に参加した人員数などを表示することにより、顧客誘引の拡大効果を極大化するための景品自由選択式幸運購買方法およびシステムを提供することにある。
【００１１】
本発明のまた別の目的は、クライアントが商品を購買したとき、提供される当籤確率が一定比率で予め定められた高い1等当籤確率によって設けられた多数の景品行事場で景品として提供する商品をクライアントが自由に選ぶことができ、抽籤で１等に当籤される場合、クライアントが直接選んだ購入商品価格よりずっと高価の商品または高額の現金などを幸運で得られる景品自由選択式幸運購買方法およびシステムを提供することにある。
【００１２】
本発明のまた別の目的は、クライアントが商品を購買したとき、提供される当籤確率が一定比率で予め定められた高い当籤確率の景品自由選択式幸運購買抽籤で1等に当籤されなくでも所定の景品または現金などを幸運で得られる、消費者の利益を極大化した景品自由選択式幸運購買方法およびシステムを提供することにある。
【課題を解決するための手段】
【００１３】
本発明の前記目的を達成するための本発明の一実施例による景品自由選択式幸運購買システムは、
商品を購買しようとする多数のクライアント、および
多数の商品をクライアントが検索し易く分類・貯蔵して販売し、商品を購買したクライアントに購買した商品価格に対応する多数の景品場を設けて置き、クライアントが景品行事に自由に選択して参加することができるようにし、景品行事に参加したクライアントが目標募集人員数に達したときに抽籤により当籤者を選定して、選定された当籤者には該当景品を提供する商品サーバーを備えていることを特徴とする。
【００１４】
本発明の別の実施例による景品自由選択式幸運購買システムは、
商品を購買しようとする多数のクライアント、および
多数の商品を前記クライアントが検索し易く分類・貯蔵して販売し、商品を購買した前記クライアントに購買した該商品価格に対応する多数の景品場を設けて置き、景品行事に自由に選択して参加し得るようにし、該当景品場に参加したクライアントが即席で景品当籤如何を確認することができ、当籤者には該当景品を提供する商品サーバーを備えていることを特徴とする。
【００１５】
望ましくは、本発明による景品自由選択式幸運購買システムでは、多数の景品場それぞれは、景品として提供する商品を1等当籤確率によってそれぞれ異なる商品を景品として提供する多数の景品場を設けており、前記景品行事で1等に当籤される確率が低いほど高価の商品を景品として提供し、前記抽籤で1等に当籤されなかった全ての景品行事に参加したクライアントにも所定の景品を提供することを特徴とする。
【００１６】
望ましくは、本発明による景品自由選択式幸運購買システムでは、前記景品は現金、現金に準ずる商品、現金に準ずる商品券、商品交換券、用役の提供を受けられる商品券、例えば、旅行商品券、どの行為をし得る権利、例えば、どの雑誌に自分の作品を掲載し得る権利などが提供されることを特徴とする。
【００１７】
本発明による景品自由選択式幸運購買方法は、
クライアントが商品購買サーバーに接続する段階、
前記クライアントが前記商品購買サーバーから提供される商品を検索して購買する段階、
前記商品購買完了後、購買したクライアントに購買した商品価格に対応する景品場で景品行事に参加し得る景品参加番号を提供する段階、
多数の景品場のうちいずれ一つの景品場を選択して前記景品参加番号を入力して景品行事に参加する段階、
前記選択された景品場で目標募集人員数に達した場合、景品当籤者を選定する段階、および
前記抽籤で当籤された場合、前記クライアントに該当景品を提供する段階を含むことを特徴とする。
【００１８】
本発明の別の方法による景品自由選択式幸運購買方法は、
クライアントが商品購買サーバーに接続する段階、
前記クライアントが前記商品購買サーバーから提供される商品を検索して購買する段
階、
前記商品購買完了後、購買したクライアントに購買した商品価格に対応する景品場で景品行事に参加し得る景品参加番号を与える段階、
多数の景品場のうちいずれ一つの景品場を選択して前記景品参加番号を入力して景品行事に参加する段階、
景品の抽籤結果を即席で確認する段階、および
前記抽籤で当籤された場合、前記クライアントに該当景品を提供する段階を含むことを特徴とする。
【００１９】
クライアントは景品行事に参加して直ちに当籤結果を確認したり、追後通報を受けることができ、前記景品場はクライアントが購買した商品価格によって、または1等当籤確率によって複数に設けられ、前記クライアントは購買した商品価格に対応する景品場のうちいずれ一つの景品場で景品行事に参加することができ、または商品購買価格より低い価格台の景品場で複数回に亘って景品行事に参加することができることを特徴とする。
本発明の別の実施例による景品自由選択式幸運購買方法においては、
クライアントが商品を購買する段階、
前記商品購買完了後、購買したクライアントに購買した商品価格に対応する景品場で景品行事に参加し得る景品参加番号を与える段階、
多数の景品場のうちいずれ一つの景品場を選択して前記景品参加番号を入力して景品
行事に参加する段階、
前記選択された景品場で目標募集人員数に達した場合、抽籤または即席で景品当籤者を選定する段階、および
前記抽籤で当籤された場合、前記クライアントに該当景品を提供する段階を含むことを特徴とする。
【００２０】
望ましくは、前記実施例では前記購買がオンライ商取引によりなされたり、TVホームショッピングでなされたり、百貨店などでなされることを特徴とする。
【発明を実施するための最良の形態】
【００２１】
以下、本発明の望ましい実施例について図１乃至図18を参照して詳細に説明する。
【００２２】
図１は本発明による商品の景品自由選択式幸運購買方法を実現するための概略的なシステム構成を図示している。
【００２３】
本発明による幸運購買方法およびシステムは、オンライン商取引およびオフライン商取引に全て適用することができる。
【００２４】
例えば、オンライおよびオフライン商取引において、商品はオフライン商取引における通り正常的な消費者価格で販売し、流通段階の縮小に因る製品の割引要因および商品の販売利益を含む営業利益のうち所定比率を多様な形態の景品で商品を購買したクライアントに戻してやることを 基本の原理とする。
【００２５】
本発明において、景品は現金、または現金に準ずる商品、現金に準ずる商品券、商品交換券、用役の提供を受けられる商品券、例えば、旅行商品券、どの行為をし得る権利、例えば、雑誌に自分の作品を掲載し得る権利などが提供されるが、説明の便宜のために単に景品として提供される商品と指称する。
【００２６】
図１において、参照符号10はクライアントであって、インターネット可能な携帯電話機、個人用携帯断末機(PDA)、または個人用コンピューター断末機を用いる使用者である。また、参照符号100は本発明による有無線インターネットを利用して商品のオンライン購買を実現し得る商品サーバーである。ここで、商品サーバー100は商品の価格および仕様などをクライアントが検索し易く貯蔵している商品データベース111、商品の幸運購買時に景品の内容、当籤確率および抽籤データなどを貯蔵している多数の景品場データベース112、多様な抽籤ゲーム、パズルクイズ方法などを貯蔵している抽籤方式データベース113など多数のデータベースを含む。ここで、図１はオンライン商取引方法において、景品自由選択式幸運購買システムを例示的に図示しているが、これに限定するのではなく、本発明による幸運購買方法は必要によってオフライン商取引、即ち、大型割引売場、百貨店、またはTVホームショッピングにおける景品提供時に適用できることを認知しなければならない。
【実施例１】
【００２７】
以下、本発明の１実施例による景品自由選択式幸運購買方式について図２乃至図13および図３を参照して詳細に説明する。
【００２８】
図２乃至図13および図３は、本発明による景品自由選択式幸運購買方式の過程を順次に示している。
【００２９】
図２にに表示される表示画面は、本発明の1実施例による景品自由選択式幸運購買方法が一般のクライアント10には良く知られていない方法であるため、景品自由選択式幸運購買方法およびシステムについて紹介するためのものである。この表示画面は一時的に用いるものであるため、本発明の実施例の外には一般的にインターネットで用いられるＪＡＶＡ（登録商標）アプレットを利用して広報または詳細に説明することができる。
【００３０】
図３において、商品サーバー100は多数の商品をクライアントが検索し易く分類して登録しており、多様な形態の景品場を含んでおり、当籤者掲示板などを含みオンライン商取引を行っている。図３には抽籤方法・抽籤日などを知らせたり、商品を宣伝することができるべナー広告、または商品を選ぶに有用な情報、クライアント達が商品を利用した経験などを掲示することができる掲示板、またはコミュニティーに必要な別途の方法を必要によって含むことができる。景品場については図９乃至図12を参照して詳細に後述する。
【００３１】
図３において、クライアント10が商品を購買するためのショッピングぺージを開くと、販売商品を分類によって一般家電、衣類、雑貨、寝具、食品などに分類して貯蔵しているが、このような分類方式に限定されなく、クライアントが商品を検索し易く他の商品と比較し易いように貯蔵することができる。例えば、図４に図示した通り、一般家電にはTV、冷蔵庫、オジオ、コンピューターなどに分類して提供することもできる。また、例えば、クライアント10がTVを購買しようとする場合、現在市販中のTVを製造社別、画面大別、価格台別などに分類して貯蔵しているので、クライアント10の要求によって表示することができる。
【００３２】
図６は選択された商品のモデル名による製品の写真情報、詳細情報および価格などを表示する画面であって、購入如何を選択することができる。若し、クライアント10が購入を申請すると、決済方法などを表示する図７へ移動し、図７で決済が完了すると、商品の価格に対応する景品の景品参加番号を提供する。図7における通り、クライアント10が10万円のA社TVを申請した場合、10万円に該当する景品場に参加し得る景品番号を与えられる。
【００３３】
本発明による景品自由選択式幸運購買システムにおいては、クライアントが購買した商品の価格に対応する景品参加番号を提供し、この景品参加番号を利用して、景品を含んでいる景品場のデータベース112に貯蔵されている多様な景品をクライアント10が直接選ぶことができる。
【００３４】
ここで、図９に図示した通り、景品場のデータベース112は、購買価格に対応する景品を含んでいる。また、景品場のデータベース112は、同じ価格台でも募集人員によって景品の内容を異にする色々な景品場を設ける。例えば、図７乃至図８の通り、10万円の商品を購買したクライアント10には商品サーバーから決済完了時に購買代金に該当する景品参加番号を与えられるので、これを利用して図９に図示した諸景品場のうち10万円台の景品場に参加することができる。この場合、10万円台の景品場で景品として提供する商品は10万円台の景品場で景品として提供する商品と価格などの面でずっと高価の商品を景品として提供する。ここで、クライアント10は10万円台の景品場では1回選ぶことができるが、価格が低価の1万円台の景品場では同一の景品参加番号で10回参加することができる。
【００３５】
反面、景品場は同じ価格台の景品場においても1等当籤確率によって相異する多数の景品場を設けている。勿論、ここでも1等当籤確率が低い場合に提供する景品場で景品として提供する商品は当籤確率が高い景品場で提供する商品より高価の商品であるのが分かる。
【００３６】
例えば、図10に図示した通り、10万円台の景品場でも1等当籤確率が1／10、1／30、1／50、1／100・・・である多数の景品場を設けることもできる。それぞれの景品場の景品は1等当籤確率が低いほど景品として提供する商品の規模は大きくなる。従って、クライアント10は小額の商品を購買しても高額の景品を受けられる景品場に選択的に参加することができる。
【００３７】
それぞれの景品場は目標とする募集単位によって1等当籤確率の比率が定められている。例えば、当籤確率が1／10であれば、目標募集人員は10名であり、目標募集人員である10名に達すると、景品行事に参加したクライアント10を対象として抽籤などにより1名の1等当籤者と、2名の2等当籤者と、7名の3等当籤者を選定する。ここで、目標募集人員のうち1等当籤者を選定する基準によって1等当籤確率が表示される。このような１，２，3等の当籤者数は景品内容によって適宜に変更することができる。
【００３８】
また、それぞれの景品場は、現在景品行事に参加した人員数、電子メールアドレスなどを明かし、クライアントが景品行事に参加すると、電子メールアドレスを記載することにより、抽籤結果を該当当籤者に直ちに通報するようになっている。また、抽籤結果は別途の方法でクライアントに通知し、または当籤者掲示板に掲載する。
【００３９】
図11は、10万円台の景品場のうち当籤確率が1／10である景品場を例示的に示したものである。10万円台の商品を購買したクライアント10は商品購買決済完了後与えられる景品参加番号を入力することにより、景品行事に参加することができる。
【００４０】
図12において、クライアント10が景品番号を入力して景品行事に参加すると、景品場の番号および幸運番号を表示する。ここで、表示される景品場の番号および幸運番号はクライアント10の電子メールアドレスなどの誤謬に因り抽籤結果の通報を受けられない場合、当籤者掲示板で抽籤結果を確認するために用いられる。
【００４１】
ここで、景品行事に参加したとき、電子メールアドレス、景品の配送地などについての情報を別途に入力することができる。
【００４２】
図13は当籤者掲示板を例示的に示したもので、景品場番号、景品行事参加者の電子メールアドレス、抽籤日、当籤者などを表示し、検索し易くするために検索機能を追加することができる。
【実施例２】
【００４３】
以下、図14乃至16を参照して本発明の別の実施例として、景品を自由に選択可能であると共に結果を即席で確認できる幸運購買方法について説明する。
【００４４】
図２乃至図８で前述した通り、クライアント10は商品を購買し、商品購買価格に対応する景品参加番号を与えられる過程は同一である。景品参加番号を受けたクライアント10が景品を即席で確認しようとするときには、図15に図示したような商品購買価格に対応する即席景品場に参加することができる。当籤確率および商品は図10に示したものと同一または相異にすることができる。
【００４５】
図15において、クライアント10は景品参加番号を入力し、1等当籤確率に対応する枚数の提示されたカードのうちいずれ一つを選び表示し、結果を図16に示した通り即席で確認することができる。
【００４６】
前述した、景品自由選択式幸運購買システムに提示される景品は、単に例示的に示したもので、本発明はこれに限定されない。例えば、景品は新製品を宣伝するために提供することもあり、サイバーモニ、現金、どの行為をし得る権利などを提供することもある。
【００４７】
以上説明した景品自由選択式幸運購買方法について図17および図18のフローチャートを参照して順次に説明する。
【実施例３】
【００４８】
図17は本発明の1実施例による景品自由選択式幸運購買方法についての具体的な過程を図示したフローチャートである。
【００４９】
段階S10で、クライアント10はインターネットを利用して商品サーバー100に接続して商品を検索する。商品サーバー100は多様な商品をクライアント10が検索し易く分類して貯蔵している商品データベース110を含む。
【００５０】
クライアント10は商品を購買し(段階S20)、決済を完了すると、景品参加番号を与えられる(段階S30)。ここで、景品参加番号はクライアント10が商品サーバー100から購買した購買価格に対応する景品参加番号である。景品参加番号を受けたクライアント10は多数の景品場のうちいずれ一つに景品参加番号を入力して参加することができる(段階S40)。
【００５１】
ここで、景品場はクライアント10が購買した商品価格に対応する価格によって多様に設置されており、また、同じ購買価格台の景品場には1等当籤確率によって多数の景品場が設けられている。このような景品場は所定の目標募集人員数を定めて置き、段階S50で目標募集人員数に達しない場合には段階S30に戻り目標人員数に達するときまでクライアントを継続募集する。段階S50で目標募集人員に達した場合、抽籤により当籤者を選定して当籤者に当籤事実を通報し(段階S60)、該当景品を当籤者に提供する(段階S70)。
【００５２】
以下、図18を参照して、クライアントが景品行事に参加し、即席で当籤結果を確認し得る即席結果確認可能な景品自由選択式幸運購買方法について説明する。
【００５３】
前述した景品自由選択式幸運購買方法において、クライアント10が購買した商品価格に対応する多数の景品場を設けている。このような景品場は即席で結果を確認し得る即席結果確認景品場を同時に設けて置くこともできる。
【００５４】
段階S110で、クライアント10はインターネットを利用して商品サーバー100に接続して商品を検索する。商品サーバー100は多様な商品をクライアント10が検索し易く分類して貯蔵している商品データベース110を含む。
【００５５】
クライアント10は商品を購買し（段階S120）、決済を完了すると、景品参加番号を与えられる(段階S130)。ここで、景品参加番号はクライアント10が商品サーバー100から購買した購買価格に対応する景品参加番号である。景品参加番号を受けたクライアント10は多数の景品場のうちいずれ一つに景品参加番号を入力して参加することができる(段階S140)。
【００５６】
段階S150で、1等当籤確率によって提供されたカードなどからいずれ一つを選び当籤結果を確認する。このような別の実施例においてはクライアント10が購買した商品と共に当籤された景品を配送してやることができるので、商品サーバー100の側では配送費用を節減できる効果がある。一方、クライアント10は購買した商品の外に景品を同時に受けられる効果がある。
【００５７】
図17および図18における景品自由選択式幸運購買方法において、抽籤方式と即席結果確認方式を別途に説明したが、これは説明を簡単にするためのもので、実際には同時に利用することができる。
【産業上の利用可能性】
【００５８】
以上の本発明の1実施例である景品自由選択式幸運購買方法およびシステムによれば、インターネットを利用したオンラインまたはオフライン商取引において、商品は市中価で販売し、営業利益のうち一定比率を、商品を購買したクライアント達を対象として多様な形態の抽籤などにより当籤者を選定して、当籤者に商品価格に対応する景品を提供することにより、インターネットショッピングへの顧客誘引効果が多大である。
【００５９】
本発明の別の景品自由選択式幸運購買方法およびシステムによれば、インターネットを利用したオンラインまたはオフライン商取引において、クライアントは商品購買時に購買した商品の外に多様な種類の景品を自由に選択して景品行事に参加して当籤された場合、購買した商品よりずっと高価の商品を受けられる機会を得られるし、製品生産者に安定的に製品を販売し得る販売網を構築することができる効果がある。また、商品の生産者はクライアントが購買しようとする商品の外に景品として提供する商品を持続的に生産しなければならないので、商品の生産と消費を同時に促進する効果もある。
【００６０】
本発明のまた別の景品自由選択式幸運購買方法およびシステムによれば、クライアントが商品サーバーに接続して商品を購買し、1等当籤確率および募集人員が表示された景品を検索して景品行事に参加することにより、クライアントが望む商品を景品として受けられる機会が与えられ、実際に幸運を得られる確率もまた可視的に見られるので、顧客誘引効果を極大化することができるだけでなく、商品の販売による営業利益のうち一定比率をクライアントに戻してやる方法であって、商品の検索画面に製品に関する情報、当籤確率、販売された額数などを表示することにより、顧客誘引の拡大効果を得ることができる。
【００６１】
ここで、本発明の景品自由選択式幸運購買システムは、景品自由選択式幸運購買方法およびシステムにより該当商品を購買したクライアントに商品の販売による営業利益のうち一定比率を戻してやることにより、顧客誘引を図り、このような顧客誘引に因り広告などの新たな収益モデルを創出することもできる。
【００６２】
本発明のまた別の景品自由選択式幸運購買方およびシステムによれば、生産者クライアントの側面では製品の割引などのマージンの犠牲なく製品を生産し、景品自由選択式幸運購買方法およびシステムにより商品販売による営業利益の一定比率を景品として提供して、他の商品を購入するよう誘導して消費促進を図ると共にオフラインとオンライン商取引における衝突を防止し、流通秩序を確立し得る効果を得ることもできる。
【００６３】
本発明のまた別の景品自由選択式幸運購買方法およびシステムによれば、生産者クライアントが製品を安定的に安定された価格で販売できるし、優れた技術を保有した中小企業に効果的な販売ルートを提供することができるなど、生産・流通・販売産業上非常に有用な発明である。
【００６４】
以上の実施の形態は、本発明の理解を容易にするために例示的に提示されている。しかし、本発明は以上の実施の形態に限定されて解釈されない。本発明の精神に従ってなされた色々な改良・変形も本発明の技術的範囲に属するものと理解される。
【図面の簡単な説明】
【００６５】
【図１】本発明による景品自由選択式幸運購買方法を実現するための概略的なシステム構成図である。
【図２】景品自由選択式幸運購買方法を実現するためにクライアントに表示される表示画面を順次に図示した図面である。
【図３】景品自由選択式幸運購買方法を実現するためにクライアントに表示される表示画面を順次に図示した図面である。
【図４】景品自由選択式幸運購買方法を実現するためにクライアントに表示される表示画面を順次に図示した図面である。
【図５】景品自由選択式幸運購買方法を実現するためにクライアントに表示される表示画面を順次に図示した図面である。
【図６】景品自由選択式幸運購買方法を実現するためにクライアントに表示される表示画面を順次に図示した図面である。
【図７】景品自由選択式幸運購買方法を実現するためにクライアントに表示される表示画面を順次に図示した図面である。
【図８】景品自由選択式幸運購買方法を実現するためにクライアントに表示される表示画面を順次に図示した図面である。
【図９】景品自由選択式幸運購買方法を実現するためにクライアントに表示される表示画面を順次に図示した図面である。
【図１０】景品自由選択式幸運購買方法を実現するためにクライアントに表示される表示画面を順次に図示した図面である。
【図１１】景品自由選択式幸運購買方法を実現するためにクライアントに表示される表示画面を順次に図示した図面である。
【図１２】景品自由選択式幸運購買方法を実現するためにクライアントに表示される表示画面を順次に図示した図面である。
【図１３】景品自由選択式幸運購買方法を実現するためにクライアントに表示される表示画面を順次に図示した図面である。
【図１４】景品自由選択式幸運購買方法のうち当籤結果を直ちに確認可能な幸運購買方法を例示的に図示した図面である。
【図１５】景品自由選択式幸運購買方法のうち当籤結果を直ちに確認可能な幸運購買方法を例示的に図示した図面である。
【図１６】景品自由選択式幸運購買方法のうち当籤結果を直ちに確認可能な幸運購買方法を例示的に図示した図面である。
【図１７】本発明の一実施例による景品自由選択式幸運購買方法についての具体的な過程を図示したフローチャートである。
【図１８】本発明の別の実施例による景品自由選択式幸運購買方法についての具体的な過程を図示したフローチャートである。
【符号の説明】
【００６６】
１０  クライアント
１００  商品サーバー
１１１  商品データーベース
１１２  景品場データーベース
１１３  抽籤方式データベース
【図１】
2004522229.tif 000003
【図２】
2004522229.tif 000004
【図３】
2004522229.tif 000005
【図４】
2004522229.tif 000006
【図５】
2004522229.tif 000007
【図６】
2004522229.tif 000008
【図７】
2004522229.tif 000009
【図８】
2004522229.tif 000010
【図９】
2004522229.tif 000011
【図１０】
2004522229.tif 000012
【図１１】
2004522229.tif 000013
【図１２】
2004522229.tif 000014
【図１３】
2004522229.tif 000015
【図１４】
2004522229.tif 000016
【図１５】
2004522229.tif 000017
【図１６】
2004522229.tif 000018
【図１７】
2004522229.tif 000019
【図１８】
2004522229.tif 000020
【国際公開パンフレット】
2004522229.tif 000021
2004522229.tif 000022
2004522229.tif 000023
2004522229.tif 000024
2004522229.tif 000025
2004522229.tif 000026
2004522229.tif 000027
2004522229.tif 000028
2004522229.tif 000029
2004522229.tif 000030
2004522229.tif 000031
2004522229.tif 000032
2004522229.tif 000033
2004522229.tif 000034
2004522229.tif 000035
2004522229.tif 000036
2004522229.tif 000037
2004522229.tif 000038
2004522229.tif 000039
2004522229.tif 000040
2004522229.tif 000041
2004522229.tif 000042
2004522229.tif 000043
2004522229.tif 000044
2004522229.tif 000045
2004522229.tif 000046
2004522229.tif 000047
2004522229.tif 000048
2004522229.tif 000049
2004522229.tif 000050
2004522229.tif 000051
2004522229.tif 000052
2004522229.tif 000053
2004522229.tif 000054
2004522229.tif 000055
2004522229.tif 000056
2004522229.tif 000057
2004522229.tif 000058
2004522229.tif 000059
2004522229.tif 000060
2004522229.tif 000061
2004522229.tif 000062
2004522229.tif 000063
2004522229.tif 000064
2004522229.tif 000065
2004522229.tif 000066
2004522229.tif 000067
2004522229.tif 000068
【国際調査報告】
2004522229.tif 000069